(57)【要約】【課題】ガイド棒の角度調節を手軽に行えるレンズ鏡筒を提供する。  【解決手段】調節部材５６は、上部鏡筒３０の内部と外部とを繋ぐ開口８０を貫通するように配置される。調節部材５６は、上部鏡筒３０に設けられたガイドピン９４と係合する長穴９２を備え、長穴９２に沿ってスライド自在であり、ガイドピン９４を中心に回動自在に設けられる。また、調節部材５６は、上部鏡筒３０の内側に配置され、ガイド棒４８の一端部と連結される保持部８２と、上部鏡筒３０の外側に露呈される調節部８８とを備えている。調節部８８が移動されると調節部材５６が前記スライド及び回動を行い、保持部８２が変位してガイド棒４８の角度が変化する。【選択図】        図８
2007071908.tif 000002
【特許請求の範囲】
【請求項１】
鏡胴本体内に、移動レンズと、移動レンズの移動をガイドするガイド棒とが納められたレンズ鏡胴に用いられるレンズ調節機構であって、
前記鏡胴本体の側壁を貫通するように前記ガイド棒と垂直な方向に長く設けられ、前記鏡胴本体外に露呈される調節部と、前記鏡胴本体内に配置されて前記ガイド棒の一端部を保持する保持部と、これら調節部と保持部との間に位置し、鏡胴本体に取り付けるための取り付け部とを有する調節部材と、
前記取り付け部と前記鏡胴本体とに設けられ、前記調節部材を、前記ガイド棒と垂直な長手方向に移動できるようにガイドし、かつ、そのガイド位置周りで回転できるように支持するガイド手段とを備え、
前記調節部を、前記ガイド棒と垂直な面内で移動させて、前記ガイド棒の角度調節を行うことを特徴とするレンズ調節機構。
【請求項２】
前記ガイド手段は、前記取り付け部と前記鏡胴本体とのいずれか一方に設けられ、前記調節部材の長手方向に沿って長く形成された長穴と、他方に設けられ、前記長穴に挿入されるガイドピンとからなることを特徴とする請求項１記載のレンズ調節機構。
【請求項３】
前記調節部は、前記鏡胴本体の側壁に延設されたガイド棒と垂直な設置面上に配置されるとともに、この設置面に取り付けられ、前記ガイド棒と平行な第１、第２の偏芯ピンを備え、
前記第１偏芯ピンを回動させることで前記調節部材を前記長手方向に移動させ、前記第２偏芯ピンを回動させることで前記調節部材を前記ガイド手段のガイド位置周りに回転させることを特徴とする請求項１または２記載のレンズ調節機構。
【請求項４】
前記第１、第２の偏芯ピンを、前記設置面に対して着脱自在に設けたことを特徴とする請求項３記載のレンズ調節機構。
【請求項５】
鏡胴本体と、この鏡胴本体内で移動される移動レンズと、移動レンズの移動をガイドするガイド棒と、請求項１〜４いずれか１つ記載のレンズ調節機構とを備えたことを特徴とするレンズ鏡胴。
【請求項６】
前記ガイド棒の角度調節後に、前記調節部材と前記鏡胴本体とを接着剤により接着したことを特徴とする請求項５記載のレンズ鏡胴。
【請求項７】
請求項５または６記載のレンズ鏡胴を備えたことを特徴とする光学装置。
【発明の詳細な説明】
【技術分野】
【０００１】
本発明は、鏡胴本体内に、移動レンズと、移動レンズの移動をガイドするガイド棒とが納められたレンズ鏡胴に用いられるレンズ調節機構、及び、このようなレンズ調節機構を備えたレンズ鏡胴、光学装置に関するものである。
【背景技術】
【０００２】
ズームレンズやフォーカスレンズなどの移動レンズを備えたレンズ鏡筒が知られている。移動レンズは、レンズ鏡筒内に設けられたガイド棒にガイドされて撮影光軸方向に移動される。この移動によりズーム倍率の変倍や、ピント調節が行われる。
【０００３】
しかし、製造上の精度などの問題により、ガイド棒と撮影光軸とが平行でない場合があり問題であった。このため、下記特許文献１には、ガイド棒の一端部を偏芯コロに嵌め込んで、この偏芯コロを回転させることによって、ガイド棒の一端部をガイド棒と垂直な面内で移動させるようにした例が紹介されている。この装置を用いれば、撮影光軸と平行になるようにガイド棒の角度を調節できる。
【特許文献１】特開平５−６６３３５号公報
【発明の開示】
【発明が解決しようとする課題】
【０００４】
しかしながら、上記特許文献１記載の装置は、ガイド棒の角度を調節するための偏芯コロが、鏡筒本体内に設けられているため、ガイド棒の角度を調節するにためには、レンズ鏡筒を分解する必要があり、調節に手間がかかってしまうといった問題があった。
【０００５】
本発明は、上記背景を鑑みてなされたものであり、手軽にガイド棒の角度を調節できるレンズ調節機構、及び、このようなレンズ調節機構を備えたレンズ鏡筒、光学装置を提供することを目的としている。
【課題を解決するための手段】
【０００６】
上記目的を達成するために、本発明のレンズ調節機構は、鏡胴本体内に、移動レンズと、移動レンズの移動をガイドするガイド棒とが納められたレンズ鏡胴に用いられるレンズ調節機構において、前記鏡胴本体の側壁を貫通するように前記ガイド棒と垂直な方向に長く設けられ、前記鏡胴本体外に露呈される調節部と、前記鏡胴本体内に配置されて前記ガイド棒の一端部を保持する保持部と、これら調節部と保持部との間に位置し、鏡胴本体に取り付けるための取り付け部とを有する調節部材と、前記取り付け部と前記鏡胴本体とに設けられ、前記調節部材を、前記ガイド棒と垂直な長手方向に移動できるようにガイドし、かつ、そのガイド位置周りで回転できるように支持するガイド手段とを備え、前記調節部を、前記ガイド棒と垂直な面内で移動させて、前記ガイド棒の角度調節を行うことを特徴としている。
【０００７】
前記ガイド手段は、前記取り付け部と前記鏡胴本体とのいずれか一方に設けられ、前記調節部材の長手方向に沿って長く形成された長穴と、他方に設けられ、前記長穴に挿入されるガイドピンとからなることが好ましい。
【０００８】
また、前記調節部は、前記鏡胴本体の側壁に延設されたガイド棒と垂直な設置面上に配置されるとともに、この設置面に取り付けられ、前記ガイド棒と平行な第１、第２の偏芯ピンを備え、前記第１偏芯ピンを回動させることで前記調節部材を前記長手方向に移動させ、前記第２偏芯ピンを回動させることで前記調節部材を前記ガイド手段のガイド位置周りに回転させることが好ましい。
【０００９】
さらに、前記第１、第２の偏芯ピンを、前記設置面に対して着脱自在に設けることが好ましい。
【００１０】
また、本発明のレンズ鏡胴は、鏡胴本体と、この鏡胴本体内で移動される移動レンズと、移動レンズの移動をガイドするガイド棒と、上述したレンズ調節機構とを備えたことを特徴とするものである。
【００１１】
前記ガイド棒の角度調節後に、前記調節部材と前記鏡胴本体とを接着剤により接着することが好ましい。
【００１２】
さらに、上述したレンズ鏡胴を用いて光学装置を構成してもよい。
【発明の効果】
【００１３】
本発明によれば、鏡胴本体を貫通するように調節部材を設け、調節部材のうちレンズ鏡胴から露呈された調節部を移動させることでガイド棒の角度を調節することができる。このため、レンズ鏡筒を分解してガイド棒の角度を調節する場合と比較して手軽に調節ができる。
【発明を実施するための最良の形態】
【００１４】
図１及び図２に本発明のレンズ鏡筒を搭載したデジタルカメラの外観を示す。デジタルカメラ２の前面には、その中央上部にストロボ光を照射するストロボ発光部３が設けられ、その横には撮影開口４が設けられている。撮影開口４からはデジタルカメラ２の内部に配されたレンズ鏡筒５のレンズが露呈される。上面には電源ボタン６とレリーズボタン７とを配している。レリーズボタン７を押圧操作することにより、１フレーム分の静止画の撮影が行われ、この撮影で得られる画像データがデジタルカメラに装着されたメモリカード８（図３参照）に記録される。
【００１５】
図２に示すように、デジタルカメラ２の背面には、ＬＣＤ（液晶ディスプレイ）１０、ズームタイプのレンズ鏡筒５を望遠側、広角側にズーミング（変倍）させるズームボタン１１、デジタルカメラ２の各種操作及び設定を行うカーソルボタン１２を配してある。ＬＣＤ１０に表示されるメニューを見ながらカーソルボタン１２を操作して指示を与えることで、撮影モードと再生モードの切替え、ストロボ発光のオン／オフなどの各種設定を行うことができる。
【００１６】
ＬＣＤ１０は、撮影モード下では、撮影中の被写体像を動画のスルー画像として表示し、ユーザはこのスルー画像を観察することで撮影範囲を知ることができる。また、再生モード下では、メモリカード８に記録されている画像を選択してＬＣＤ１０に表示することができる。
【００１７】
上記デジタルカメラ２の電気的構成を図３に示す。ＣＰＵ１５は、レリーズボタン７，ズームボタン１１，カーソルボタン１２からの操作信号に基づいて、デジタルカメラ２の各部を制御する。ＣＰＵ１５は、ＲＯＭ１５ａ，ＲＡＭ１５ｂを内蔵している。ＲＯＭ１５ａには、撮影シーケンスなど各種シーケンスのプログラムを格納してあり、このプログラムにしたがってＣＰＵ１５は各部を制御する。ＲＡＭ１５ｂは、ＣＰＵ１５が各種シーケンスを制御する際の作業用メモリとして用いられる。
【００１８】
駆動回路１７は、レンズ鏡筒５に組み付けられたズームやピント調節用のモータ、シャッタ装置のアクチュエータ等をＣＰＵ１５の制御下で駆動する。固体撮像素子であるＣＣＤイメージセンサ１８は、その受光面にレンズ鏡筒５を透過した被写体光が入射し、その被写体像をアナログの撮影信号に変換して出力する。この例では、ＣＣＤイメージセンサ１８を用いて撮影を行うが、イメージセンサとしては、これに限らず、例えばＣＭＯＳ型のイメージセンサを用いてもよい。
【００１９】
信号処理部１９は、撮影モード下では、撮影信号に対してノイズ除去、増幅，画像データへの変換処理を行ってから、ホワイトバランス、γ補正を行い、処理済みの画像データを順次にＬＣＤドライバ２１に送る。これにより、撮影中の被写体像がスルー画像としてＬＣＤ１０に表示される。撮影モード下でレリーズボタン７が押圧操作されると、信号処理部１９は、その直後の撮影で得られる１フレーム分の画像データをデータ圧縮した後にインタフェース回路２２を介してメモリカード８に記録する。なお、記録媒体としては、メモリカードに限らず、各種のものを用いることができ、またデジタルカメラ２の内部メモリに画像データを記録してもよい。
【００２０】
再生モード下では、インタフェース回路２２によってメモリカード８から画像データを読み出し、信号処理部１９で各種処理を施してからＬＣＤドライバ２１に送る。これにより、メモリカード８に記録されている画像がＬＣＤ１０に表示される。
【００２１】
信号処理部１９には，画像データに基づいて被写体輝度の検出と、画像データのコントラストの検出とを行う回路を備えており、検出した被写体輝度とコントラストの情報をそれぞれＣＰＵ１５に送る。ＣＰＵ１５は、信号処理部１９からの被写体輝度情報に基づいてシャッタ速度，絞りを制御し、コントラスト情報に基づいてピント調節の制御を行う。
【００２２】
図４に示すように、レンズ鏡筒５の鏡筒本体は、上部鏡筒３０と、下部鏡筒３２とから構成される。これら上部鏡筒３０と下部鏡筒３２とは、組み合わせられた後、ネジ止めされる。上部鏡筒３０内には、第１撮影レンズ３６が組み込まれている。第１撮影レンズ３６は、レンズ３６ａ〜３６ｆの６枚のレンズから構成される。これら各レンズ３６ａ〜３６ｆは、各レンズ３６ａ〜３６ｆの中心が、撮影光軸３８に一致するように位置決めされて、上部鏡筒３０内に配置される。
【００２３】
レンズ３６ａは、デジタルカメラ２の前面に露呈され、被写体光をレンズ鏡筒５内に取り込む。レンズ３６ａの背後には、プリズム４０が配置されている。プリズム４０は、デジタルカメラ２の前面に対して４５度傾けられた反射面４０ａを備え、撮影光軸３８を直角に折り曲げる作用を有する。これにより、レンズ３６ａを介して図４中手前方向からレンズ鏡筒５内に取り込まれた被写体光が同図中下方へむけて屈折される。このように撮影光軸３８を折り曲げることで、レンズ鏡筒５の水平方向の長さを抑え、デジタルカメラ２を薄型化している。
【００２４】
レンズ３６ｂ、３６ｃは、固定レンズであり、プリズム４０の下方に配置される第１固定レンズホルダ４２によって保持される。レンズ３６ｄ、３６ｅ、３６ｆは、ズームレンズを構成する移動レンズであり、ズームレンズホルダ４４によって保持される。
【００２５】
ズームレンズホルダ４４は、ガイド棒４６、４８に取り付けられている。ガイド棒４６は、両端部が上部鏡筒３０の内壁に立設された係合部５０、５２に係合し、撮影光軸３８と平行に保持されている。一方、ガイド棒４８は、上端部が上部鏡筒３０内に設けられた係合部５４と係合し、下端部が調節部材５６と連結されている。詳しくは後述するが、この調節部材５６は、撮影光軸３８と垂直な面内で移動自在に設けられ、移動させることによってガイド棒４８の角度調節ができるようになっている。
【００２６】
また、ズームレンズホルダ４４は、ズームモータ５８と連結されている。そして、ズームレンズホルダ４４は、ズームモータ５８の回転によりガイド棒４６、４８に従って撮影光軸３８方向に移動する。デジタルカメラ２は、ズームボタン１１の操作に応じてズームモータ５８を回転させ、ズームレンズホルダ４４を移動させることでズーム倍率の変倍を行う。
【００２７】
下部鏡筒３２内には、シャッタ装置６０と、第２撮影レンズ６２とが組み込まれている。シャッタ装置６０は、上部鏡筒３０から側方に延設されたシャッタカバー６４によりその上部が覆われ、また、下部鏡筒３２から側方に延設されたシャッタカバー６６によりその下部が覆われている。シャッタ装置６０は、撮影光軸３８と垂直な面に設けられた撮影開口を開閉するシャッタ羽を備えている。シャッタ装置６０には、シャッタモータ６８が接続され、シャッタ羽は、このシャッタモータ６８により駆動されて撮影開口を開閉する。
【００２８】
第２撮影レンズ６２は、レンズ６２ａ〜６２ｄの４枚のレンズから構成される。これら各レンズ６２ａ〜６２ｄは、各レンズ６２ａ〜６２ｄの中心が、撮影光軸３８と一致するように位置決めされて、下部鏡筒３２内に配置される。レンズ６２ａは、固定レンズであり、シャッタ装置６０の下方に配置される第２固定レンズホルダ７０によって保持される。
【００２９】
レンズ６２ｂ〜６２ｄは、フォーカスレンズを構成する移動レンズであり、フォーカスレンズホルダ７２によって保持される。フォーカスレンズホルダ７２は、撮影光軸３８と平行なガイド棒７４、７６に取り付けられ、フォーカスモータ７８の回転によりガイド棒７４、７６に従って撮影光軸３８方向に移動される。デジタルカメラ２は、フォーカスモータ７８の回転を制御し、フォーカスレンズホルダ７２とともにレンズ６２ｂ〜６２ｄを移動させることでピント調節を行う。ピント調節では、ピントが合っているほど得られる画像のコントラストが高いといった原理に基づき、スルー画のコントラストが最も高くなる位置へレンズ６２ｂ〜６２ｄが移動される。
【００３０】
以下、調節部材５６を用いたガイド棒４８の角度調節機構について、上部鏡筒３０を上方から観察した図５、並びに、上部鏡筒３０を下方から観察した図６、図７をもとに説明する。調節部材５６は、撮影光軸３８と垂直な方向に長く形成された板バネから構成され、上部鏡筒３０の内部と外部とを繋ぐように設けられた開口８０を貫通するように配置される。
【００３１】
調節部材５６は、長手方向の一端部が保持部８２となっており、長手方向の中央部が取り付け部８４となっている（図７参照）。また、保持部８２とは反対側の端部には係止突起８６が形成され、この係止突起８６と取り付け部８４との間は調節部８８となっている。
【００３２】
保持部８２、並びに、取り付け部８４は、上部鏡筒３０の内側に配置される（図６参照）。保持部８２には、保持開口９０が形成されている。ガイド棒４８は、下端部の外周が一回り小さく形成されており、この下端部が保持開口９０内に嵌め込まれることで、調節部材５６と連結される。
【００３３】
取り付け部８４は、上部鏡筒３０の下面と対面するように配置される。取り付け部８４には、調節部材５６の長手方向に長く形成された長穴９２が設けられ、上部鏡筒３０の下面に設けられたガイドピン９４と係合している。ガイドピン９４は、その軸が撮影光軸３８と平行に設けられている。これにより、調節部材５６は、長穴９２に沿ってスライド自在であり、かつ、ガイドピン９４を中心に回動自在となっている。
【００３４】
また、長穴９２にはネジ９６が挿通され、取り付け部８４は、このネジ９６により撮影光軸３８方向への移動が規制され、ガタつかないようになっている。ネジ９６は、その頭部の大きさが長穴９２の大きさよりも十分に大きく形成され、この頭部と上部鏡筒３０の下面との間で取り付け部８４を挟み込み、調節部材５６のガタつきを防止するとともに、長穴９２に挿通されるネジ部の太さが十分に細く形成され、調節部材５６のスライド及び回動を妨げないようになっている。
【００３５】
一方、係止突起８６、並びに、調節部８８は、上部鏡筒３０の外側に配置される（図５参照）。係止突起８６は、シャッタカバー６４の上面に形成された開口９８内に嵌め込まれ、この開口９８により下方へ押さえつけられるように支持される。調節部８８は、シャッタカバー６４の上面に配置される。シャッタカバー６４の上面には、突起６４ａ、６４ｂが形成されている。突起６４ａ、６４ｂは、調節部８８に圧接するように設けられ、調節部材５６のガタつきを防止する。
【００３６】
調節部８８には、第１調節開口１００、第２調節開口１０２が設けられている。第１調節開口１００は、調節部材５６の長手方向と垂直な方向に長い長穴から構成され、第１偏芯ピン１０４が挿通される。第２調節用開口１０２は、調節部材５６の長手方向に長い長穴から構成され、第２偏芯ピン１０６が挿通される。これら第１、第２の偏芯ピン１０４、１０６は、シャッタカバー６４の上面に形成された開口１０８、１１０に対してそれぞれ着脱自在に設けられており、ガイド棒４８の角度調節を行う際に取り付けられ、調節が完了すると取り外される。
【００３７】
図８（Ａ）、（Ｂ）に示すように、第１、第２の偏芯ピン１０４、１０６をシャッタカバー６４の上面に取り付けた状態で、第１偏芯ピン１０４を回動させると、調節部材５６が長穴９２に沿ってスライド移動し、保持部８２が図中左右に移動する。また、同図（Ｃ）、（Ｄ）に示すように、第２偏芯ピン１０６を回動させると、調節部材５６がガイドピン９４を支点に回動し、保持部８２が図中上下に移動する。この保持部８２の移動によって、保持部８２と連結されたガイド棒４８の下端部の位置が変位し、ガイド棒４８の傾きが変化する。
【００３８】
以下、上記構成による本発明の作用について説明する。レンズ鏡筒５は、第１撮影レンズ３６や、第１撮影レンズ３６のズームレンズの移動をガイドするガイド棒４８や、このガイド棒４８と連結される調節部材５６などが組み込まれた上部鏡筒３０と、シャッタ装置６０や、第２撮影レンズ６２などが組み込まれた下部鏡筒３２とをネジ止めすることによって組み立てられる。
【００３９】
レンズ鏡筒５が組み立てられた後、ガイド棒４８が撮影光軸３８と平行になるように、ガイド棒４８の角度調節が行われる。角度調節を行う際は、先ず、第１、第２の偏芯ピン１０４、１０６を、それぞれシャッタカバー６４の上面に形成された開口１０８、１１０に装着する。第１偏芯ピン１０４は、第１調節開口１００を貫通するように装着され、第２偏芯ピン１０６は、第２調節開口１０２を貫通するように装着される。そして、各偏芯ピン１０４、１０６を回動させ、調節部材５６と連結されたガイド棒４８の下端部の位置を変位させることで、ガイド棒４８の角度調節を行うことができる。角度調節が完了した後、第１、第２の偏芯ピン１０４、１０６が上部鏡筒３０から取り外される。さらに、この後、調節部材５６が接着剤により上部鏡筒３０に接着される。
【００４０】
このように、レンズ鏡筒は、分解することなくガイド棒の角度調節を行えるため、手軽に調節を行うことができる。また、偏芯ピンによりガイド棒の角度調節を行うようにしたので、細かな調節を確実に行うことができる。さらに、この偏芯ピンを着脱自在に設け、調節完了後にレンズ鏡筒から取り外すようにしたので、レンズ鏡筒の大型化を抑えることができる。
【００４１】
なお、本発明は、移動レンズの移動をガイドするガイド棒と連結された調節部材の一部を鏡筒本体から露呈させ、この露呈部分を移動させることによってガイド棒の角度調節を行えればよいので、各部の構成は上記実施形態に限定されず、適宜変更することができる。例えば、上記実施形態では、ズームレンズの移動をガイドする２本のガイド棒のうち、一方の角度を調節する例で説明をしたが、これら２本のガイド棒の両方の角度を調節するようにしてもよい。また、フォーカスレンズの移動をガイドするガイド棒の角度を調節するといったことも可能である。
【図面の簡単な説明】
【００４２】
【図１】デジタルカメラの前面側外観図である。
【図２】デジタルカメラの背面側外観図である。
【図３】デジタルカメラの構成図である。
【図４】レンズ鏡筒の断面図である。
【図５】調節部材の一部が上部鏡筒から露呈されている様子を表す説明図である。
【図６】調節部材が上部鏡筒に取り付けられている様子を表す説明図である。
【図７】調節部材を下部鏡筒から取り外した状態を表す説明図である。
【図８】偏芯ピンの回動により調節部材が移動される様子を表す説明図である。
【符号の説明】
【００４３】
２  デジタルカメラ
５  レンズ鏡筒
３０  上部鏡筒
３２  下部鏡筒
３６  第１撮影レンズ
３８  撮影光軸
４４  ズームレンズホルダ
４６、４８、７４、７６  ガイド棒
５６  調節部材
８０、９８、１０８、１１０  開口
８２  保持部
８４  取り付け部
９６  係止突起
８８  調節部
９０  保持開口
９２  長穴
９４  ガイドピン
１００  第１調節開口
１０２  第２調節開口
１０４  第１偏芯ネジ
１０６  第２偏芯ネジ
【図１】
2007071908.tif 000003
【図２】
2007071908.tif 000004
【図３】
2007071908.tif 000005
【図４】
2007071908.tif 000006
【図５】
2007071908.tif 000007
【図６】
2007071908.tif 000008
【図７】
2007071908.tif 000009
【図８】
2007071908.tif 000010